(57)【要約】【課題】携帯電話機用スクロールスイッチ装置において、一つのキー操作だけで、携帯電話機の情報表示部上の動作指示の選択と確定をできるようにする。【解決手段】携帯電話機用スクロールスイッチ装置１において、携帯電話機に装着されて動作指示を確定する確定スイッチ２と、確定スイッチ２の周囲に配設され、それぞれが携帯電話機の情報表示部上で固有の方向にカーソルを移動させる複数の選択スイッチ３と、確定スイッチ２と対向して中心部分が位置するボタンキー５とを具備し、ボタンキー５の周辺部分を操作することによって、選択スイッチ３を動作させて選択の操作を行い、ボタンキー５の中心部分を操作することによって確定スイッチ２を動作させて、該情報表示部の該カーソル設定のされた動作指示を確定する構成とする。【選択図】図２
2006309752.tif 000002
【特許請求の範囲】
【請求項１】
携帯電話機に装着されて該携帯電話機への動作指示を確定する構成とされた確定スイッチと、
該確定スイッチの周囲に配設され、それぞれが携帯電話機の情報表示部上で固有の方向に該カーソルを移動させる構成とされた複数の選択スイッチと、
該確定スイッチと対向する上方に中心部分が位置するボタンキーとを具備し、
該ボタンキーの周辺部分を操作することによって、該選択スイッチを動作させて選択の操作を行い、
該ボタンキーの中心部分を操作することによって該確定スイッチを動作させて、該情報表示部の該カーソル設定のされた動作指示を確定する構成とされたことを特徴とする携帯電話機用スクロールスイッチ装置。
【請求項２】
請求項１記載のスクロールスイッチにおいて、
前記確定スイッチは上方からの押圧により凹み変形してオン／オフ操作がなされるドーム型のスイッチであり、
前記選択スイッチは、該確定スイッチを中心に十の字型に４個が配設されたものであり、
前記ボタンキーは周辺部分が該４個の選択スイッチ上に位置すると共に、中心部分に該確定スイッチと対向する凸部を具備して構成され、
該ボタンキーの周辺部分を該確定スイッチ上の該凸部を支点に押し下げて、対向する一個以上の選択スイッチが動作し、更に該中心部分を押圧して該凸部により該確定スイッチが動作する構成とされたことを特徴とする携帯電話機用スクロールスイッチ装置。
【請求項３】
請求項１記載のスクロールスイッチにおいて、
前記確定スイッチは上方からの押圧により凹み変形してオン／オフ操作がなされるドーム型のスイッチであり、
前記複数の選択スイッチはそれぞれ、該確定スイッチの周囲に配設された抵抗器からなり、
前記ボタンキーは周辺部分が該複数の選択スイッチ上に位置して該抵抗器と対向する導電体部分を具備すると共に、中心部分に凸部を具備して構成され、
該ボタンキーの周辺部分を押圧して該導電体部分を該抵抗器に接触させ、接触地点で感知される抵抗値をもとに前記カーソルを移動させて該選択スイッチの動作がなされ、該中心部分を押圧して該凸部により該確定スイッチを動作する構成とされたことを特徴とする携帯電話機用スクロールスイッチ装置。
【請求項４】
請求項１記載のスクロールスイッチにおいて、
前記確定スイッチと前記選択スイッチは何れも上方からの押圧により凹み変形してオン／オフ操作がなされるドーム型のスイッチであり、
前記ボタンキーは、周辺部分が該複数の選択スイッチ上に位置すると共に、中心部分を貫通して上下動が可能なように構成された可動部を具備し、
該ボタンキーの周辺部分を押圧操作して該選択スイッチを動作すると共に、該可動部を押圧して該確定スイッチを動作する構成とされたことを特徴とする携帯電話機用スクロールスイッチ装置。
【請求項５】
請求項１記載のスクロールスイッチにおいて、
前記確定スイッチと前記選択スイッチは何れも上方からの押圧により凹み変形してオン／オフ操作がなされるドーム型のスイッチであり、
前記ボタンキーは、周辺部分が該複数の選択スイッチ上に位置すると共に、中心部分には該確定スイッチと対向する凸部と上方に突出する操作レバーとを具備して構成され、
該操作レバーを倒すことにより該ボタンキーを傾け、傾いた方向の選択スイッチを押圧して動作を行うと共に、該操作レバーを上方から押圧して該凸部により該確定スイッチを動作する構成とされたことを特徴とする携帯電話機用スクロールスイッチ装置。
【請求項６】
請求項１記載のスクロールスイッチにおいて、
前記確定スイッチは上方からの押圧により凹み変形してオン／オフ操作がなされるドーム型のスイッチであり、
前記ボタンキーは、球形状を有し、該確定スイッチ上方の対向する位置で自由な回転が可能且つ該確定スイッチの押圧が可能な構成とされ、
前記選択スイッチは、該ボタンキーの表面に接して設けられた互いに直角の軸を持つ二つのローラーから構成され、該ボタンキーの回転運動に連動して回転する該二つのローラーの回転数に対応させて前記カーソルを移動させる構成されたものであることを特徴とする携帯電話機用スクロールスイッチ装置。
【発明の詳細な説明】
【技術分野】
【０００１】
本発明はＰＨＳをも含む携帯電話機用のスクロールスイッチ装置に関し、特に携帯電話機の具備する情報表示部上の指示表示間のカーソル移動を行うと共に該表示指示の確定をも行うことが可能な構成とされた携帯電話機用スクロールスイッチ装置に関する。
【０００２】
近年、携帯電話機の普及は目ざましく、非常に多数の人々がこれを使用するようになっている。そして、その機能は急激に進歩・発展し、非常に多くのソフトが小さい電話機の中に組み込まれるようになっている。
【０００３】
従って、簡単なキー操作により、多くの機能を呼出し、使用することのできるキー構造が求められている。
【背景技術】
【０００４】
しかし、従来携帯電話機においては、かかる多数のソフトを稼働させるために、非常に多くのキーを操作する必要があり、必然的に操作は複雑となり、十分に使いこなせないでいる使用者が多いとされる。
【０００５】
例えば、従来の携帯電話機は、所謂テンキーとファンクションキーにより、キー入力部分が構成されているが、Ｆの何番というように番号を知った上でその番号を入力しない場合、必要な機能を設定できないシステムであり、該当する番号を知らないかぎり満足な使用が出来ないものであった。
【０００６】
そして、その番号は、最近の技術の進歩に従いますます多数のキーを使用して多数の桁数を有するようになっており、また装置の小型化に伴いテンキーを使用したその入力操作も行いにくいものとなっている。
【発明の開示】
【発明が解決しようとする課題】
【０００７】
そこで、本発明の課題は、以上のような問題点を解決した新規な携帯電話機の提供を可能とするキー入力装置を提供することである。
【０００８】
即ち、携帯電話機が使用する液晶表示ディスプレイ（ＬＣＤ）等の画面に表示される動作指示を選択し確定するだけで、しかもそれを一つのキーによる操作ですませ、操作キー数を削減して必要な携帯電話機の機能を簡単に使用することを可能とする携帯電話機用スクロールスイッチ装置を提供することである。
【課題を解決するための手段】
【０００９】
請求項１記載の発明は、携帯電話機に装着されて該携帯電話機への動作指示を確定する構成とされた確定スイッチと、
該確定スイッチの周囲に配設され、それぞれが携帯電話機の情報表示部上で固有の方向に該カーソルを移動させる構成とされた複数の選択スイッチと、
該確定スイッチと対向する上方に中心部分が位置するボタンキーとを具備し、  該ボタンキーの周辺部分を操作することによって、該選択スイッチを動作させて選択の操作を行い、
該ボタンキーの中心部分を操作することによって該確定スイッチを動作させて、該情報表示部の該カーソル設定のされた動作指示を確定する構成とされたことを特徴とする。
【００１０】
請求項２記載の発明は、請求項１記載のスクロールスイッチにおいて、
前記確定スイッチは上方からの押圧により凹み変形してオン／オフ操作がなされるドーム型のスイッチであり、
前記選択スイッチは、該確定スイッチを中心に十の字型に４個が配設されたものであり、
前記ボタンキーは周辺部分が該４個の選択スイッチ上に位置すると共に、中心部分に該確定スイッチと対向する凸部を具備して構成され、
該ボタンキーの周辺部分を該確定スイッチ上の該凸部を支点に押し下げて、対向する一個以上の選択スイッチが動作し、更に該中心部分を押圧して該凸部により該確定スイッチが動作する構成とされたことを特徴とする。
【００１１】
請求項３記載の発明は、請求項１記載のスクロールスイッチにおいて、
前記確定スイッチは上方からの押圧により凹み変形してオン／オフ操作がなされるドーム型のスイッチであり、
前記複数の選択スイッチはそれぞれ、該確定スイッチの周囲に配設された抵抗器からなり、
前記ボタンキーは周辺部分が該複数の選択スイッチ上に位置して該抵抗器と対向する導電体部分を具備すると共に、中心部分に凸部を具備して構成され、
該ボタンキーの周辺部分を押圧して該導電体部分を該抵抗器に接触させ、接触地点で感知される抵抗値をもとに前記カーソルを移動させて該選択スイッチの動作がなされ、該中心部分を押圧して該凸部により該確定スイッチを動作する構成とされたことを特徴とする。
【００１２】
請求項４記載の発明は、請求項１記載のスクロールスイッチにおいて、
前記確定スイッチと前記選択スイッチは何れも上方からの押圧により凹み変形してオン／オフ操作がなされるドーム型のスイッチであり、
前記ボタンキーは、周辺部分が該複数の選択スイッチ上に位置すると共に、中心部分を貫通して上下動が可能なように構成された可動部を具備し、
該ボタンキーの周辺部分を押圧操作して該選択スイッチを動作すると共に、該可動部を押圧して該確定スイッチを動作する構成とされたことを特徴とする。
【００１３】
請求項５記載の発明は、請求項１記載のスクロールスイッチにおいて、
前記確定スイッチと前記選択スイッチは何れも上方からの押圧により凹み変形してオン／オフ操作がなされるドーム型のスイッチであり、
前記ボタンキーは、周辺部分が該複数の選択スイッチ上に位置すると共に、中心部分には該確定スイッチと対向する凸部と上方に突出する操作レバーとを具備して構成され、
該操作レバーを倒すことにより該ボタンキーを傾け、傾いた方向の選択スイッチを押圧して動作を行うと共に、該操作レバーを上方から押圧して該凸部により該確定スイッチを動作する構成とされたことを特徴とする。
【００１４】
請求項６記載の発明は、請求項１記載のスクロールスイッチにおいて、
前記確定スイッチは上方からの押圧により凹み変形してオン／オフ操作がなされるドーム型のスイッチであり、
前記ボタンキーは、球形状を有し、該確定スイッチ上方の対向する位置で自由な回転が可能且つ該確定スイッチの押圧が可能な構成とされ、
前記選択スイッチは、該ボタンキーの表面に接して設けられた互いに直角の軸を持つ二つのローラーから構成され、該ボタンキーの回転運動に連動して回転する該二つのローラーの回転数に対応させて前記カーソルを移動させる構成されたものであることを特徴とする。
【発明の効果】
【００１５】
請求項１記載の発明によれば、具備される一つのキーによる操作で、これを装着する携帯電話機の液晶表示ディスプレイ（ＬＣＤ）等の画面に表示される動作指示を選択し確定することができ、操作キー数を削減して、必要な携帯電話機の機能を画面に従うだけで使用することを可能とする。
【００１６】
請求項２記載の発明によれば、情報表示部上の動作支持の選択のためのスイッチ操作は、ボタンキーの中心部分からカーソルを移動させたい方向にずれた位置でボタンキーを押圧することにより達成でき、その操作は使用者にとって非常に理解しやすく、また簡便なものとなる。
【００１７】
従って、使用者にとって非常に使いやすく操作の容易な携帯電話機用スクロールスイッチ装置を提供できる。
【００１８】
請求項３記載の発明によれば、ボタンキーの周辺部分を軽く押圧することで選択スイッチの十分な操作が行える。
【００１９】
またこのとき、情報表示部上の所望の動作支持選択のためのスイッチ操作は、ボタンキーの中心部分からカーソルを移動させたい方向にずれた位置でボタンキーを押圧することにより達成でき、その操作は使用者にとって非常に理解しやすく、また簡便なものとなる。
【００２０】
従って、使用者にとって非常に使いやすく操作の容易な携帯電話機用スクロールスイッチ装置を提供できる。
【００２１】
請求項４記載の発明によれば、選択スイッチ操作のためのボタンキーの周辺部分の押圧操作を強くし過ぎることによって、誤って確定スイッチを押してしまい、使用者が希望しない動作指示を確定してしまうことはない。
【００２２】
従って、使用者にとって非常に使いやすく操作の確実な携帯電話機用スクロールスイッチ装置を提供できる。
【００２３】
請求項５記載の発明によれば、選択スイッチの操作方向と確定スイッチの操作方向を違えることが可能となり、選択スイッチ操作のためのボタンキーの周辺部分の押圧操作を強くし過ぎることによって、誤って確定スイッチを押してしまい、使用者が希望しない動作指示を確定してしまうことはない。
【００２４】
従って、使用者にとって非常に使いやすく操作の確実な携帯電話機用スクロールスイッチ装置を提供できる。
【００２５】
請求項６記載の発明によれば、情報表示部上の所望の動作支持選択のためのスイッチ操作は、ボタンキーをカーソル移動の希望の方向の回転により達成でき、その操作は使用者にとって非常に理解しやすく、また簡便なものとなる。
【００２６】
従って、使用者にとって非常に使いやすく操作の容易な携帯電話機用スクロールスイッチ装置を提供できる。
【発明を実施するための最良の形態】
【００２７】
以下本発明の実施例を図面を用いて説明する。
【実施例１】
【００２８】
図１は本発明にかかる第一実施例である携帯電話機用スクロールスイッチ装置の平面図であり、図２は図１のＡ−Ａ'線に沿った断面図である。
【００２９】
また、図３は本発明にかかる第一実施例である携帯電話機用スクロールスイッチ装置のボタンキーの外された状態を示す斜視図であり、図４は本発明にかかる第一実施例である携帯電話機用スクロールスイッチ装置に使用されるボタンキーの一例を示す斜視図である。
【００３０】
更に、図５は本発明にかかる第一実施例である携帯電話機用スクロールスイッチ装置の回路図である。
【００３１】
図６は本発明にかかる第一実施例である携帯電話機用スクロールスイッチ装置を携帯電話機に配設した図である。そして図７は図６の携帯電話機の情報表示部分とスクロールスイッチ装置部分を拡大して示す図である。
【００３２】
本発明にかかる第一実施例である携帯電話機用スクロールスイッチ装置１は、基板１０上に設けられ、ドーム型の形状を有して上方からの押圧による凹み変形に従いオン／オフの操作がなされ、図６に示す携帯電話機２１への動作指示を確定する構成とされた確定スイッチ２を具備する。
【００３３】
そして、同様にドーム型の形状を有して上方からの押圧による凹み変形に従いオン／オフの操作がなされ、確定スイッチ２の周囲に確定スイッチ２を中心として十の字状に互いに等間隔に配設されて、それぞれが図７に示すように、携帯電話機２１の情報表示部２２上で固有の方向にカーソル２３を移動させる構成とされた第１乃至第四の４個の選択スイッチ３とを具備する。
【００３４】
ここで、確定スイッチ２は、選択スイッチ３をオンする力を相当上回る力で押した場合にオンとなるようになっている。
【００３５】
そして、モールドとゴムとで一体成形された本体部分１１と回転止めと位置保持を兼ねたゴム製の支持部材１２からなり、本体部分１１の周辺部分が４個のドーム型選択スイッチ３の上に位置して選択スイッチ３と対向する部分に接片１３を具備すると共に、ドーム型の確定スイッチ２と対向する中心部分に凸部４が設けられた円盤状のボタンキー５を具備する。
【００３６】
尚、ボタンキー５の本体部分１１はモールドとゴムの貼り付けでもよい。そしてボタンキー５は本体部分１１が露出するように、配設される携帯電話機２１のケース部分１４に設置されている。
【００３７】
この時、ボタンキー５の周辺部分の押し下げ操作で、４個の選択スイッチ３から１個の選択スイッチ３を選んで押圧操作し、情報表示部２２上の所望の動作指示表示へのカーソル２３の設定を行う構成とされる。
【００３８】
また、ボタンキー５の中心部分を押圧して確定スイッチ２を操作し、カーソル２３の設定された動作指示表示にかかる動作指示を確定し、携帯電話機２１に該動作指示を行う構成とされる。
【００３９】
次に、本発明にかかる第一実施例である携帯電話機用スクロールスイッチ装置の動作を説明する。
【００４０】
先ず、本発明にかかる第一実施例である携帯電話機用スクロールスイッチ装置１のボタンキー５の周辺部分を使用者の指先等で例えば、図１の＋Ｙ方向を押す。
【００４１】
ボタンキー５は凸部４を支点に円弧を描いて押し下げられ、接片１３の押圧によりドーム型形状を有した第一の選択スイッチ３ａが凹み変形されて、オンの状態が形成される。この時、支点となる凸部４を支えるドーム状の確定スイッチ２は、その強度が周辺部分の押し下げ及び選択スイッチ３の凹み変形のための力に耐えうる程度とされており、通常形成されているオフ状態が解除されてオン状態になることはない。
【００４２】
また、その押し下げ状態を維持したまま指先の押圧位置を＋Ｘの方向に移動させると、接片１３と第一の選択スイッチ３ａに隣接する第二の選択スイッチ３ｂも凹み変形されて、第一及び第二の選択スイッチ３ａ，３ｂの二つで同時にオンの状態が形成される。
【００４３】
更に指先により押圧位置をそのまま移動させると、第一の選択スイッチ３ａでは凹み変形は解消されて、オフの状態が形成され、第二の選択スイッチ３ｂのみがオン状態となる。
【００４４】
同様にボタンキー５の周辺部分を押し下げたまま押圧位置を移動すると、スイチは１回路から２回路、そして再び１回路の順で変化する。
【００４５】
また、ボタンキー５のおよそ１２時の方向（＋Ｙ方向）、３時（＋Ｘ方向）、６時（−Ｙ方向）、９時（−Ｘ方向）を順次押し下げると、１回路の選択スイッチ３がオン状態にされ、およそ１時３０分の方向、４時３０分、７時３０分、１０時３０分の方向を順次押し下げると２回路の選択スイッチ３がオン状態となる。この時、前記の理由により、確定スイッチ２はオンとはならない。
【００４６】
更に、ボタンキー５の中央部を、周辺部分を操作して選択スイッチ３をオン状態にするのに比べて強い力で押圧し、ドーム型形状の確定スイッチ２がオン状態となる。
【００４７】
以上より、簡単な形状の一つのボンタンキーに独立した確定スイッチ１個と４個の選択スイッチ３をオン状態にできると共に、周辺部分の押し下げ位置の選択により４種の組み合わせを持つ隣接する二つの選択スイッチのオン状態を形成できる。
【００４８】
次に、本発明にかかる第一実施例である携帯電話機用スクロールスイッチ装置１を使用した携帯電話機の操作について説明する。
【００４９】
図８は本発明にかかる第一実施例である携帯電話機用スクロールスイッチ装置を配設された携帯電話機の要部のシステム構成を示す図である。
【００５０】
図６及び図７に示すボタンキー５の操作によりメニュー項目を呼出し、図８のＣＰＵ２６よりの指示によりインターフェース２５を介して情報表示部駆動回路２７が動作され、情報表示部２２にメニュー画面が表示される。
【００５１】
このとき、ボタンキー５の１２時方向または６時方向を押し下げ、第一及び第三の選択スイッチ３ａ，３ｃを操作する。選択スイッチ３ａ，３ｃのオン操作に従い、ＣＰＵ２６の指示がインターフェース２５を介してなされ、情報表示部２２上のメニュー画面上でカーソル２３は動かされ、メニュー項目の中の適当な動作指示表示にカーソル２３が合わされる。
【００５２】
更に、ボタンキー５の３時方向または９時方向を押し下げ、第二及び第四の選択スイッチ３ｂ，３ｄを操作して、同様にメニュー画面上でカーソル２３を再び動かし、動作指示表示の適当な具体項目にカーソル２３が合わされる。
【００５３】
またこの時、ボタンキー５の１時３０分方向、４時３０分、７時３０分、又は１０時３０分の方向を押し下げることにより、上下・左右のカーソル２３の動きに加え、斜め方向にカーソル２３を動かすことができる。
【００５４】
最後に、カーソル２３が適当な具体項目に合わされた状態で、確定スイッチ２がボタンキー５の中央部分の押圧によりオン操作される。そして、インターフェース２５を介してＣＰＵ２６に確定スイッチ２のオン状態が知らされ、引き続いてＣＰＵ２６からインターフェース２５を介して確定回路２８に対し指示がされ、カーソル２３が合わされた動作指示表示の具体項目が確定回路２８により確定される。
【００５５】
よって、携帯電話機２１では、情報表示部２２上でスクロールスイッチ装置１により選択・確定された動作が行われることになる。
【００５６】
また、本発明にかかる第一実施例である携帯電話機用スクロールスイッチ装置の変形例としては以下のものがある。次に図面を用いて説明する。
【００５７】
図９は本発明にかかる第一実施例である携帯電話機用スクロールスイッチ装置の第一変形例の平面図である。
【００５８】
図９に示す第一変形例である携帯電話機用スクロールスイッチ装置３１では、確定スイッチ３２の周囲に選択スイッチ３３が８個あり、第一実施例のスクロールスイッチ装置１と同じ１２時の方向（＋Ｙ方向）、３時（＋Ｘ方向）、６時（−Ｙ方向）、９時（−Ｘ方向）の各方向に加え、１時３０分方向、４時３０分、７時３０分、及び１０時３０分の方向にも同じドーム型形状の選択スイッチ３３が設けられている以外は、第一実施例１と同様の構成を有している。
【００５９】
かかる構成とすることにより、携帯電話機の情報表示部上での動作指示の選択において、より細かく制御ができ、より正確且つより素早いカーソルの動きを制御することができる。
【００６０】
図１０は本発明にかかる第一実施例である携帯電話機用スクロールスイッチ装置の第二変形例の平面図である。
【００６１】
図１０に示す第二変形例である携帯電話機用スクロールスイッチ装置３６では、確定スイッチ３７の周囲に第一実施例のスクロールスイッチ装置１と異なる配置で、ドーム型形状の選択スイッチ３８が８個設けられている以外は、第一実施例１と同様の構成を有している。
【００６２】
第二変形例である携帯電話機用スクロールスイッチ装置３６においては、例えば何れも＋Ｘ方向を指示するものである選択スイッチ３８ａと３８ｂのように、それぞれ二個ずつ連携させて、二個同時に押し下げを行うことにより、選択スイッチを一個のみオン状態にさせた場合より、より安定した＋Ｘ方向のスイッチ回路のオン状態が得られる。
【００６３】
また、選択スイッチ３８ｂと共に−Ｙ方向を指示すべき選択スイッチ３８ｃを同時に押し下げることにより、異なる方向（＋Ｘと−Ｙ方向）を指示するべき二個の選択スイッチを同時にオン状態にして＋Ｘと−Ｙ方向の中間方向を指示することも可能である。
【００６４】
かかる構成とすることにより、携帯電話機の情報表示部上での動作指示の選択において、より安定且つ正確にカーソルの動きを制御することができる。
【００６５】
図１１は本発明にかかる第一実施例である携帯電話機用スクロールスイッチ装置の第三変形例の断面図である。そして、図１２は本発明にかかる第一実施例である携帯電話機用スクロールスイッチ装置の第三変形例のボタンキー部分とそれを装着する携帯電話機のケース部分の斜視図である。
【００６６】
第三変形例である携帯電話機用スクロールスイッチ装置４１は、ボタンキー４２及びそれを収納する携帯電話機のケース部分４３が異なる構造を有する以外は第一実施例と同様の構造を有する。
【００６７】
ボタンキー４２は本体部分４４と回転止めと位置保持を兼ねた支持部材４５がシリコンゴムから一体に作られ、本体部分４４は十字状の形状を有している。そして、十字状の各先端部分には押圧操作の行われる肉厚部分４６が形成され、さらに、肉厚部分４６の下側面にはそれぞれ凸部４７が設けられている。また、十字状の中心部分には、表面に柱状の突起部４８が設けられ、また突起部４８と対応する下面には凸部４９が設けられている。
【００６８】
そして、十字状の各先端部分に形成された肉厚部分４６と中央部分の突起部４８が操作面から突出して、その押圧操作が可能なように、対応する形状にくり抜かれた携帯電話機のケース部分４３に設置されている。
【００６９】
この時、本体部分４４の各肉厚部分４６が４個のドーム型選択スイッチ４０の上に位置して、その下側の凸部４７を選択スイッチ４０と対向させると共に、中央部分では突起部４８が確定スイッチ３９の上に位置して、その下側の凸部４９を確定スイッチ３９と対向させている。
【００７０】
よって、周辺部分にある肉厚部分４６の押圧操作で、選択スイッチ４０の選択がされて、それぞれの選択スイッチ固有の方向に携帯電話機の情報表示部のカーソルを移動し所望の動作指示の表示に合わせることが可能である。
【００７１】
そして、中心部分にある突起部４８の押圧操作で、確定スイッチ３９が操作されてそのカーソルのある動作指示の表示を確定し、携帯電話機に動作指示を行うことができる。
【００７２】
なお、本変形例においては、十字状の各先端部分に形成された肉厚部分４６と中央部分の突起部４８が一つのキーであるように見えるように、それが設置される携帯電話機のケース上に溝５０が肉厚部分４６と突起部４８とを囲んで形成されている。
【００７３】
以上の第一実施例及びその変形例である携帯電話機用スクロールスイッチ装置により、携帯電話機において、使用する液晶表示ディスプレイ（ＬＣＤ）等の画面に表示される動作指示を選択し確定するだけで、しかもそれを一つのキーによる操作ですませ、操作キー数を削減して必要な携帯電話機の機能を簡単に使用することが可能となった。
【実施例２】
【００７４】
図１３は本発明にかかる第二実施例である携帯電話機用スクロールスイッチ装置の断面図であり、図１４は本発明にかかる第二実施例である携帯電話機用スクロールスイッチ装置のボタンキーを外した状態の平面図である。
【００７５】
本実施例にかかる携帯電話機用スクロールスイッチ装置５１は選択スイッチの構造が異なる以外は動作・機能等も含めて本発明にかかる第一実施例と同様である。よって、第一実施例と異なる部位の構成について詳述し、共通する部分や動作についての説明は省略する。
【００７６】
本発明にかかる第二実施例である携帯電話機用スクロールスイッチ装置５１は、基板５２上に設けられ、ドーム型の形状を有して上方からの押圧による凹み変形に従いオン／オフの操作がなされ、携帯電話機への動作指示を確定する構成とされた確定スイッチ５３を具備する。
【００７７】
そして、確定スイッチ５３の周囲に確定スイッチ５３を中心として十の字状に互いに等間隔に配設され、それぞれがそのスイッチ操作により携帯電話機の情報表示部上で固有の方向にカーソルを移動させることが可能な構成とされた第１乃至第四の放射状の導電パターン５４を具備する。
【００７８】
この時、導電パターン５４は分離された二つのパターン５４ａと５４ｂからなり、これら二つのパターン間を導通させる操作がスイッチ操作となり、かかる導通の達成により、携帯電話機の情報表示部上で固有の方向にカーソルを移動させることが可能となる。
【００７９】
また更に、モールドとゴムとで一体成形された本体部分５５と回転止めと位置保持を兼ねたゴム製の支持部材５６からなり、本体部分５５の周辺部分が４個の導電パターン５４の上に位置して、この導電パターン５４と対向する部分にリング状の導電ゴム５７を具備すると共に、ドーム型の確定スイッチ５３と対向する中心部分に凸部５８が設けられた円盤状のボタンキー５９を具備する。
【００８０】
尚、ボタンキー５９の本体部分５５はモールドとゴムの貼り付けでもよい。そしてボタンキー５９は本体部分５５が露出するように、配設される携帯電話機のケース部分６０に設置されている。
【００８１】
この時、ボタンキー５９の周辺部分の押し下げ操作で、４個の導電パターン５４から１個の導電パターン５４を選んで押圧操作し、本体部分５５の周辺部分に具備される導電ゴム５７を導電パターン５４に圧接し、導電ゴム５７を通して導電パターン５４を構成する分離された二つのパターン５４ａ，５４ｂは接続され選択スイッチがオンとなり、携帯電話機の情報表示部上の所望の動作指示表示へのカーソルの設定を行う構成とされる。選択スイッチの動作はドーム型スイッチに比べて信頼性良く行われる。
【００８２】
また、ボタンキー５９の中心部分を押圧して確定スイッチ５３を操作し、カーソルの設定された動作指示表示にかかる動作指示を確定し、携帯電話機に該動作指示を行う構成とされる。
【００８３】
以上の第二実施例である携帯電話機用スクロールスイッチ装置により、携帯電話機において、使用する液晶表示ディスプレイ（ＬＣＤ）等の画面に表示される動作指示を選択し確定するだけで、しかもそれを一つのキーによる操作ですませ、操作キー数を削減して必要な携帯電話機の機能を簡単に使用することが可能となった。
【実施例３】
【００８４】
図１５は本発明にかかる第三実施例である携帯電話機用スクロールスイッチ装置の断面図である。そして、図１６は本発明にかかる第三実施例である携帯電話機用スクロールスイッチ装置のボタンキーを外した状態の平面図であり、図１７は本発明にかかる第三実施例である携帯電話機用スクロールスイッチ装置に用いるボタンキーの斜視図である。そしてさらに、図１８は本発明にかかる第三実施例である携帯電話機用スクロールスイッチ装置の回路図である。
【００８５】
本発明にかかる第三実施例である携帯電話機用スクロールスイッチ装置６１は、必要な配線が銅泊によりなされた基板６２上に設けられ、ドーム型の形状を有して上方からの押圧による凹み変形に従いオン／オフの操作がなされ、携帯電話機への動作指示を確定する構成とされた確定スイッチ６３を具備する。
【００８６】
そして、確定スイッチ６３の上には絶縁シート６４が貼り付けられている。更に、表面に導電体層を具備してドーム型形状を有し、以下で説明するボタンキーを支持するとともに、押圧により変形可能な樹脂性のカバー６５が確定スイッチ６３を覆うように設けられている。
【００８７】
そして、確定スイッチ６３を中心としてその周囲に配設され、以下に説明するスイッチ操作により携帯電話機の情報表示部上で固有の方向にカーソルを移動させることが可能な構成とされた抵抗器６６を具備する。
【００８８】
更に、確定スイッチ６３と対向する上方に中心部分が位置し、抵抗器６４と対向する周辺部分に接片６８が一体成形により設けられているモールド製のボタンキー６７とを具備する。
【００８９】
そして、このボタンキー６７は中心部分に凸部６９を具備しており、接片６８と凸部６９を含んだ下側面には導電体層が設けられている。よって、凸部６９と基板６２は導通しており、更に接片６８と基板６２も導通している。
【００９０】
また、ボタンキー６７の操作がなされないときはボタンキー６７が傾いたりガタついたりしないように、ボタンキー６７を基板６２と携帯電話機のケース部分７０との間に保持するバネ７１が装着されている。
【００９１】
以上の構成を有することにより、ボタンキー６７の周辺部分を押すと接片６８が抵抗器６４に接触し、凸部６９とカバー６５を介して基板６２上の銅泊に導通する。
【００９２】
一方、接片６８が抵抗器６４のＸ軸、Ｙ軸上の任意の位置に接触して、選択スイッチがオンとなる。例えば、地点７２に接触したとすれば、選択スイッチがオンとされた情報に加えて、＋Ｙと地点７２の間の抵抗値と＋Ｘと地点７２の間の抵抗値の差の情報が、第一実施例の場合と同様の図８に示すシステム構成を持つ携帯電話機のＣＰＵに送られ、ここで位置情報に変換され、携帯電話機の情報表示部上の表示内容の切り換えや、カーソルの移動及び動作支持の選択がなされる。
【００９３】
そして、ボタンキー６７の中心部分を押圧して凸部６９によりカバー６５を通してドーム型の確定スイッチを変形させて操作し、カーソルの設定された動作指示表示にかかる動作指示を確定する。
【００９４】
以上より、簡単な構造で、携帯電話機の情報表示部上を用いた動作支持の選択と確定が一個のボタンキーによりできた。
【００９５】
尚、本発明にかかる第三実施例である携帯電話機用スクロールスイッチ装置の変形例として、選択スイッチに抵抗器を使用せず、その代わりに分割された多数の導電パターン７６を確定スイッチ７５の周囲に設けて、携帯電話機用スクロールスイッチ装置７７を構成することも可能である。
【００９６】
図１９は、本発明にかかる第三実施例である携帯電話機用スクロールスイッチ装置の変形例のボタンキーを外した状態の平面図であり、図２０はその回路図である。
【００９７】
第三実施例と同様の操作で、携帯電話機の情報表示部上を用いた動作支持の選択と確定が一個のボタンキーによりできた。
【実施例４】
【００９８】
図２１は本発明にかかる第四実施例である携帯電話機用スクロールスイッチ装置の斜視図であり、図２２は本発明にかかる第四実施例である携帯電話機用スクロールスイッチ装置のボタンキーの断面図である。そして、図２３は本発明にかかる第四実施例である携帯電話機用スクロールスイッチ装置の操作方法説明する図である。
【００９９】
本実施例にかかる携帯電話機用スクロールスイッチ装置８１はボタンキーの構造が異なる以外は動作・機能等も含めて本発明にかかる第一実施例と同様である。よって、第一実施例と異なる部位の構成について詳述し、共通する部分や動作についての説明は省略する。
【０１００】
本発明にかかる第四実施例である携帯電話機用スクロールスイッチ装置８１は、基板８２上に設けられ、ドーム型の形状を有して上方からの押圧による凹み変形に従いオン／オフの操作がなされ、携帯電話機への動作指示を確定する構成とされた確定スイッチ８３を具備する。
【０１０１】
そして、同様にドーム型の形状を有して上方からの押圧による凹み変形に従いオン／オフの操作がなされ、確定スイッチ８３の周囲に確定スイッチ８３を中心として十の字状に互いに等間隔に配設されて、それぞれが携帯電話機の情報表示部上で固有の方向にカーソルを移動させる構成とされた４個の選択スイッチ８４とを具備する。
【０１０２】
そして、シリコンゴム製の本体部分８５の周辺部分が４個のドーム型選択スイッチ８４の上に位置し、選択スイッチ８４と対向する部分に接片８６を設けた円盤状のボタンキー８７を具備する。このボタンキー８７は、中心部分を貫通するように設けられ、上下動が可能かつ止め輪８８による作用によって本体部分８５からの抜け落ちが防止された確定キー８９を具備する。
【０１０３】
尚、ボタンキー８７は具備するガイドリブ９０によりその本体部分８５を基板８２上に固定すると共に確定キー８９の設置位置を確定スイッチ８３上に保持している。また、ボタンキー８７は本体部分８５が使用される携帯電話機の表面で露出するように、携帯電話機のケース部分９１に設置されている。
【０１０４】
以上の構成を有することより、図２３（Ａ）に示すように、ボタンキー８７の周辺部分の押し下げ操作で、４個の選択スイッチ８４から１個の選択スイッチ８４が選ばれて押圧操作され、携帯電話機の情報表示部上の所望の動作指示表示へのカーソルの設定を行うことができる。
【０１０５】
また、図２３（Ｂ）に示すように、ボタンキー８７の中心部分にある確定キー８９を押圧して確定スイッチ８３を操作し、カーソルの設定された動作指示表示にかかる動作指示を確定し、携帯電話機に該動作指示を行うことができる。
【０１０６】
以上の第四実施例である携帯電話機用スクロールスイッチ装置により、携帯電話機において、使用する液晶表示ディスプレイ（ＬＣＤ）等の画面に表示される動作指示を選択し確定するだけで、しかもそれを一つのキーによる操作ですませ、操作キー数を削減して必要な携帯電話機の機能を簡単に使用することが可能となった。
【実施例５】
【０１０７】
図２４は本発明にかかる第五実施例である携帯電話機用スクロールスイッチ装置を示す図であり、図２５は本発明にかかる第五実施例である携帯電話機用スクロールスイッチ装置の断面図である。
【０１０８】
本実施例にかかる携帯電話機用スクロールスイッチ装置９４はボタンキーの構造が異なる以外は動作・機能等も含めて本発明にかかる第一実施例と同様である。よって、第一実施例と異なる部位の構成について詳述し、共通する部分や動作についての説明は省略する。
【０１０９】
本発明にかかる第五実施例である携帯電話機用スクロールスイッチ装置は、前記図１の第一実施例と同様の確定スイッチ９５と選択スイッチ９６を具備し、それらは何れも上方からの押圧により凹み変形してオン／オフ操作がなされるドーム型のスイッチである。
【０１１０】
そして、周辺部分が４個のドーム型選択スイッチ９６の上に位置し、選択スイッチ９６と対向する部分に接片９７を設けたボタンキー９８を具備する。このボタンキー９８は、中心部分に、確定スイッチ９６と対向する凸部９９と上方に突出する操作レバー１００とを具備して構成される。そして確定スイッチ９５と選択スイッチ９６と共にケース１０１に収納され、使用される携帯電話機の表面で操作レバー１００が突出するように、携帯電話機のケース部分１０２の内部で半田付けにより基板１０３上に固定されて設置されている。
【０１１１】
以上の構成を有することより、操作レバー１００を倒すことによりボタンキー９８を傾け、傾いた方向の選択スイッチ９６を周辺部分の接片９７により押圧して操作すると共に、操作レバー１００を上方から押圧して凸部９９により確定スイッチ９６を押圧して操作することができる。
【０１１２】
また、本発明にかかる第五実施例である携帯電話機用スクロールスイッチ装置の変形例としては以下のものがある。次に図面を用いて説明する。
【０１１３】
図２６は本発明にかかる第五実施例である携帯電話機用スクロールスイッチ装置の変形例の構造を説明する図である。そして、図２６（Ａ）は、本変形例である携帯電話機用スクロールスイッチ装置のケースとボタンキーを外した状態の平面図である。図２６（Ｂ）は、本変形例である携帯電話機用スクロールスイッチ装置の平面図である。図２６（Ｃ）は、図２６（Ｂ）のＢ−Ｂ'線に沿った断面図である。そして、図２６（Ｄ）は、本変形例である携帯電話機用スクロールスイッチ装置の動作を説明する図である。
【０１１４】
本変形例にかかる携帯電話機用スクロールスイッチ装置１９４は選択スイッチを導電ゴム接点にしたもので、選択スイッチの構造が異なる以外は動作・機能等も含めて本発明にかかる第五実施例にかかる携帯電話機用スクロールスイッチ装置９４と同様である。
【０１１５】
図２６（Ａ）のように、本変形例にかかる携帯電話機用スクロールスイッチ装置１９４は、第五実施例にかかる携帯電話機用スクロールスイッチ装置９４における確定スイッチ９５と同様のドーム型の確定スイッチ１９５を具備する。
【０１１６】
そして確定スイッチ１９５の周囲には、４個のドーム型の選択スイッチの代わりに、確定スイッチ１９５を中心として十の字状に互いに等間隔に配設され、それぞれがそのスイッチ操作により携帯電話機の情報表示部上で固有の方向にカーソルを移動させることが可能な構成とされた第１乃至第四の放射状の導電パターン１９６を具備する。
【０１１７】
この時、導電パターン１９６は分離された二つのパターン１９６ａと１９６ｂからなり、パターン１９６ａは各スイッチの共通端子である共通パターン２０６を形成している。そして、図２６（Ｃ）のように、凸部１９９で確定スイッチ１９５上に支持されるボタンキー１９８は導電パターン１９６と対向する部分にリング状の導電ゴム２０５を具備している。
【０１１８】
従って、図２６（Ｄ）のように、操作レバー２００をケース２０１内で倒してボタンキー１９８を傾け、導電ゴム２０５をそれぞれのパターン１９６ａと１９６ｂに同時に接触させることにより、これら二つのパターン１９６ａと１９６ｂの間を導通させることができる。この操作がスイッチ操作となり、かかる導通の達成により、携帯電話機の情報表示部上で固有の方向にカーソルを移動させることが可能となる。
【０１１９】
この変形例である携帯電話機用スクロールスイッチ装置は、選択スイッチをドーム型スイッチから導電ゴム接点にすることで操作性が向上し、小型化と薄型化を図ることができる。
【０１２０】
尚、本発明にかかる第五実施例である携帯電話機用スクロールスイッチ装置及びその変形例においては、操作レバーの先端にキートップを装着して用いることもできる。図２７は本発明にかかる第五実施例である携帯電話機用スクロールスイッチ装置の操作レバーの先端にキートップを装着した状態を示すが、図２６の本発明にかかる第五実施例である携帯電話機用スクロールスイッチ装置の変形例においても同様に操作レバーの先端にキートップを装着して用いることができる。
【０１２１】
以上の第五実施例である携帯電話機用スクロールスイッチ装置及びその変形例により、携帯電話機において、使用する液晶表示ディスプレイ（ＬＣＤ）等の画面に表示される動作指示を選択し確定するだけで、しかもそれを一つのキーによる操作ですませ、操作キー数を削減して必要な携帯電話機の機能を簡単に使用することが可能となった。
【実施例６】
【０１２２】
図２８は本発明にかかる第六実施例である携帯電話機用スクロールスイッチ装置を示す図であり、図２９は本発明にかかる第六実施例である携帯電話機用スクロールスイッチ装置が装着された携帯電話機の平面図である。
【０１２３】
本発明にかかる第六実施例である携帯電話機用スクロールスイッチ装置１１１は、上方からの押圧により凹み変形してオン／オフ操作がなされ、携帯電話機１３１への動作指示を確定する構成とされたドーム型のスイッチである確定スイッチ１１２を具備する。
【０１２４】
そして、確定スイッチ１１２と対向する上方に中心部分が位置する球形状のボタンキー１１３を具備する。このボタンキー１１３は、確定スイッチ１１２上方の対向する位置で自由な回転が可能となるように、下側支持体１１４と上側支持体１１５で支持されて構成されると共に、確定スイッチ１１２の押圧が可能な構成とされる。
【０１２５】
下側支持体１１４には、ボタンキー１１３の回転運動に対応して回転するようにＸ軸上に第一のローラー１１６、Ｙ軸上に第二のローラー１１７を設ける。
【０１２６】
第一のローラー１１６の軸上に第一の歯車１１８を設け、第二のローラー１１７の軸上に第二の歯車１１９を設ける。
【０１２７】
そして、第一の歯車１１８を介して自由に回転する複数の穴の開いた第三の歯車１２０を設け、更に第二の歯車１１９を介して自由に回転する複数の穴の開いた第四の歯車１２１を設ける。
【０１２８】
また、ボタンキー１１３と第一及び第二のローラー１１６，１１７が常に均等な力で圧接されるようにモールドのバネ特性を利用して又は板バネ等で押さえるように第三のローラー１２２を設ける。
【０１２９】
この時、ボタンキー１１３の設置は、下側支持体１１４にボタンキー１１３を合わせ、上側支持体１１５をこれに被せ、下側支持体１１４と上側支持体１１５とを溶着又はモールドのバネ特性を利用した爪でパッキン止めすることにより行われる。
【０１３０】
また、確定スイッチ１１２は、基板１２３に取付けられて、下側支持体１１４と上側支持体１１５により設置されたボタンキー１１３の下側に配置される。
【０１３１】
以上の構成を持つ本発明にかかる第五実施例である携帯電話機用スクロールスイッチ装置１１１の動作について以下で説明する。
【０１３２】
ボタンキー１１３を使用者の指先で任意の方向に回すと、第三のローラー１２２で圧接された第一及び第二のローラー１１６，１１７は連動し、回す方向によって回転数が変化し、Ｘ軸方向にボタンキー１１３を回すとＸ軸方向の第一のローラー１１６が回転し、Ｙ軸方向の第二のローラー１１７は回転しない。どちらかの方向にボタンキー１１３を回す方向をずらすと、第二のローラー１１７も回転しはじめ、第一及び第二のローラー１１６，１１７の回転数が変化する。
【０１３３】
第一及び第二のローラー１１６，１１７に連結した第一及び第二の歯車１１８，１１９の穴に光を当てることで光の有無回転速度を携帯電話機１３１の具備するＣＰＵに送り、確定スイッチ１１２との連携により、情報表示部１３２上の表示画面を送ったり、表示画面を切り換えたり、又は表示画面の内容を確定して実行させたり、カーソルを移動させて表示画面の内容を確定することができる。
【０１３４】
また、確定スイッチ１１２の動作時間、動作回数をカウントすることで、電池のオン／オフや、表示画面の切り換え等も可能となる。
【０１３５】
以上のように、回転自在のボタンキー１１３の下に確定スイッチ１１２を設け、所謂円コーダ機能とＣＰＵを連動させて携帯電話機の表示画面に各種機能を表示し、画面送りにより必要機能を検索し、確定スイッチ１１２を押圧操作することで次の画面に移行し、操作内容を表示し、内容に従って操作し、完了後確定スイッチを再び押圧操作して、確定し、実行するというように、一つのボタンキーで画面表示に従って携帯電話機の簡単な操作ができ、また、携帯電話機における操作ボタンの数を減らすことができ、携帯電話機の小型化も可能となる。
【図面の簡単な説明】
【０１３６】
【図１】本発明にかかる第一実施例である携帯電話機用スクロールスイッチ装置の平面図である。
【図２】図１のＡ−Ａ'線に沿った断面図である。
【図３】本発明にかかる第一実施例である携帯電話機用スクロールスイッチ装置のボタンキーの外された状態を示す斜視図である。
【図４】本発明にかかる第一実施例である携帯電話機用スクロールスイッチ装置に使用されるボタンキーの一例を示す斜視図である。
【図５】本発明にかかる第一実施例である携帯電話機用スクロールスイッチ装置の回路図である。
【図６】本発明にかかる第一実施例である携帯電話機用スクロールスイッチ装置を携帯電話機に配設した図である。
【図７】図６の携帯電話機の情報表示部分とスクロールスイッチ装置部分を拡大して示す図である。
【図８】本発明にかかる第一実施例である携帯電話機用スクロールスイッチ装置を配設された携帯電話機の要部のシステム構成を示す図である。
【図９】本発明にかかる第一実施例である携帯電話機用スクロールスイッチ装置の第一変形例の平面図である。
【図１０】本発明にかかる第一実施例である携帯電話機用スクロールスイッチ装置の第二変形例の平面図である。
【図１１】本発明にかかる第一実施例である携帯電話機用スクロールスイッチ装置の第三変形例の断面図である。
【図１２】本発明にかかる第一実施例である携帯電話機用スクロールスイッチ装置の第三変形例のボタンキー部分とそれを装着する携帯電話機のケース部分の斜視図である。
【図１３】本発明にかかる第二実施例である携帯電話機用スクロールスイッチ装置の断面図である。
【図１４】本発明にかかる第二実施例である携帯電話機用スクロールスイッチ装置のボタンキーを外した状態の平面図である。
【図１５】本発明にかかる第三実施例である携帯電話機用スクロールスイッチ装置の断面図である。
【図１６】本発明にかかる第三実施例である携帯電話機用スクロールスイッチ装置のボタンキーを外した状態の平面図である。
【図１７】本発明にかかる第三実施例である携帯電話機用スクロールスイッチ装置に用いるボタンキーの斜視図である。
【図１８】本発明にかかる第三実施例である携帯電話機用スクロールスイッチ装置の回路図である。
【図１９】本発明にかかる第三実施例である携帯電話機用スクロールスイッチ装置の変形例のボタンキーを外した状態の平面図である。
【図２０】本発明にかかる第三実施例である携帯電話機用スクロールスイッチ装置の変形例の回路図である。
【図２１】本発明にかかる第四実施例である携帯電話機用スクロールスイッチ装置の斜視図である。
【図２２】本発明にかかる第四実施例である携帯電話機用スクロールスイッチ装置のボタンキーの断面図である。
【図２３】本発明にかかる第四実施例である携帯電話機用スクロールスイッチ装置の操作方法説明する図である。
【図２４】本発明にかかる第五実施例である携帯電話機用スクロールスイッチ装置を示す図である。
【図２５】本発明にかかる第五実施例である携帯電話機用スクロールスイッチ装置の断面図である。
【図２６】本発明にかかる第五実施例である携帯電話機用スクロールスイッチ装置の変形例の構造を説明する図である。
【図２７】本発明にかかる第五実施例である携帯電話機用スクロールスイッチ装置において、操作レバーの先端にキートップを装着した状態を示す図である。
【図２８】本発明にかかる第六実施例である携帯電話機用スクロールスイッチ装置を示す図である。
【図２９】本発明にかかる第六実施例である携帯電話機用スクロールスイッチ装置が装着された携帯電話機の平面図である。
【符号の説明】
【０１３７】
１，３１，３６，４１，５１，６１，７７，８１，９４，１１１，１９４    携帯電話機用スクロールスイッチ装置
２，３２，３７，３９，５３，６３，７５，８３，９５，１１２，１９５    確定スイッチ
３，３３，３８，４０，８４，９６    選択スイッチ
４，４７，４９，５８，６９，９９，１９９    凸部
５，４２，５９，６７，８７，９８，１１３，１９８    ボタンキー
１０，５２，６２，８２，１０３，１２３    基板
１１，５５，８５    本体部分
１２，４５，５６    支持部材
１３，６８，８６，９７    接片
１４，４３，６０，９１    ケース部分
２１，１３１    携帯電話機
２２，１３２    情報表示部
２３    カーソル
２５    インターフェース
２６    ＣＰＵ
２７    情報表示部駆動回路
２８    確定回路
４４    本体部分
４６    肉厚部分
４８    突起部
５０    溝
５４，７６，１９６    導電パターン
５７，２０５    導電ゴム
６４    絶縁シート
６５    カバー
６６    抵抗器
７１    バネ
７２    地点
８８    止め輪
８９    確定キー
９０    ガイドリブ
１００，２００    操作レバー
１０１，２０１    ケース
１０４    キートップ
１１４    下側支持体
１１５    上側支持体
１１６    第一のローラー
１１７    第二のローラー
１１８    第一の歯車
１１９    第二の歯車
１２０    第三の歯車
１２１    第四の歯車
１２２    第三のローラー
２０６    共通パターン
【図１】
2006309752.tif 000003
【図２】
2006309752.tif 000004
【図３】
2006309752.tif 000005
【図４】
2006309752.tif 000006
【図５】
2006309752.tif 000007
【図６】
2006309752.tif 000008
【図７】
2006309752.tif 000009
【図８】
2006309752.tif 000010
【図９】
2006309752.tif 000011
【図１０】
2006309752.tif 000012
【図１１】
2006309752.tif 000013
【図１２】
2006309752.tif 000014
【図１３】
2006309752.tif 000015
【図１４】
2006309752.tif 000016
【図１５】
2006309752.tif 000017
【図１６】
2006309752.tif 000018
【図１７】
2006309752.tif 000019
【図１８】
2006309752.tif 000020
【図１９】
2006309752.tif 000021
【図２０】
2006309752.tif 000022
【図２１】
2006309752.tif 000023
【図２２】
2006309752.tif 000024
【図２３】
2006309752.tif 000025
【図２４】
2006309752.tif 000026
【図２５】
2006309752.tif 000027
【図２６】
2006309752.tif 000028
【図２７】
2006309752.tif 000029
【図２８】
2006309752.tif 000030
【図２９】
2006309752.tif 000031